【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
グランドとそこを通過する少なくとも１本の絶縁線の貫通部分の間の、並びに前記線内及び前記線に沿った流体の流れ、圧力伝達及び火炎伝播を防止するための、危険環境で使用するのに適したシーリング・グランドであって、
前記線を取り囲み、後方に向かって面する第１の表面と、後方に向かって面する切頭円錐形の第２の表面とねじ切りした部分を有する、管状の本体と、
前記線を取り囲み、前記本体の第１の表面と係合するようになされた前方に向かって面する第１の表面を有し、かつ後方に向かって面する第２の表面とを有する第１の絶縁体と、
前記線を取り囲み、前方に向かって面する切頭円錐形の第１の表面と、前方に向かって面する第２の表面と、後方に向かって面する第３の表面を有するシーリング材であって、前記シーリング材の第１の表面が前記本体の第２の表面と係合するようになされ、前記シーリング材の第２の表面が前記第１の絶縁体の第２の表面と係合するようになされている、シーリング材と、
前記線を取り囲み、前記シーリング材の第３の表面の一部分と係合するようになされた前方に向かって面する第１の表面を有し、かつ後方に向かって面する第２の表面を有する第２の絶縁体と、
前記線を取り囲み、前記本体に対し軸方向の移動のために取り付けられるようになされるが前記本体との相対的回転に対して抑制され、前記シーリング材の第３の表面と係合するようになされた前方に向かって面する第１の表面を有し、かつ前記第２の絶縁体の第２の表面の一部分と係合するようになされた前方に向かって面する第２の表面を有し、かつ後方に向かって面する第３の表面とを有するフォロワーと、
前記線を取り囲み、前記本体のねじ切りした部分と対合的に係合するようになされたねじ切りした部分を有し、前記フォロワーの第３の表面と係合するようになされた前方に向かって面する第１の表面とを有するキャップとを備え、
前記シーリング・グランドは、前記キャップが前記本体上で締め付けられるとき、前記グランドと前記貫通部分の間の、並びに前記線内の及びそれに沿った流体の流れ、圧力伝達及び火炎伝播を防止するように、前記シーリング材が変形し前記本体及び線と流体密閉シール係合に入るように寸法設定され寸法が加減される、シーリング・グランド。
【請求項２】
前記線を取り囲み、前記本体からの前記線の出口近くでその鋭角な曲げに起因する前記線への損傷を防止するために、前記本体に取り付けられる第１のスリーブをさらに備える、請求項１に記載のシーリング・グランド。
【請求項３】
前記線を取り囲み、前記キャップからの前記線の出口近くでその鋭角な曲げに起因する前記線への損傷を防止するために、前記キャップに取り付けられる第２のスリーブをさらに備える、請求項２に記載のシーリング・グランド。
【請求項４】
前記第１及び第２のスリーブが弾性材料で形成される、請求項３に記載のシーリング・グランド。
【請求項５】
前記シーリング材が電気伝導材料で形成される、請求項１に記載のシーリング・グランド。
【請求項６】
前記線がＴＨＨＮ、ＴＨＷＮ及びＴＦＮからなる群から選択される、請求項１に記載のシーリング・グランド。
【請求項７】
前記シーリング材が３つの部片を備える、請求項１に記載のシーリング・グランド。
【請求項８】
線が絶縁体によって取り囲まれる導体を有し、前記シーリング・グランドが、前記線とグランドの間、並びに前記導体と絶縁体の間の前記線内での、いずれも軸方向での流体の流れ、圧力伝達及び火炎伝播に抵抗するようになされた、請求項１に記載のシーリング・グランド。
【請求項９】
前記キャップが適切に前記本体上に締め付けられるとき、前記本体と線の間に形成されるシールが、前記線に沿った約７０．３１ｋｇｆ／ｃｍ２（約１０００ｐｓｉｇ）の圧力差に耐える、請求項１に記載のシーリング・グランド。
【請求項１０】
前記シーリング・グランドが、前記グランドと複数の絶縁線の貫通部分の間の流体の流れ、圧力伝達及び火炎伝播を防止するように、危険な環境で使用するのに適している、請求項１に記載のシーリング・グランド。
【請求項１１】
前記第１の絶縁体が穴を有する管状部材であり、前記穴が前記第１の絶縁体の第２の表面に隣接して面取りされている、請求項１に記載のシーリング・グランド。
【請求項１２】
前記第２の絶縁体が穴を有する管状部材であり、前記穴が前記第２の絶縁体の第１の表面に隣接して面取りされている、請求項１に記載のシーリング・グランド。
【手続補正２】
【補正対象書類名】明細書
【補正対象項目名】００２２
【補正方法】変更
【補正の内容】
【００２２】
次いで図１２を参照すると本体２１が、環状垂直左端部面３０、環状垂直右端部面３１、及び（図１２で左から右に）左端部面３０の外側縁部から右側に向かって延びる外側にねじ切りした部分３２、外側に向かって面する水平円筒状表面３３、半径方向に拡大する６角形部分３４、及び右端部面３１の外縁部に連結するようにそこから右側に向かって延びる外側にねじ切りした部分３５を連続して含む外側表面とを有する、水平方向に細長い特別に構成される管状部材として示されている。この本体は、左端部面３０の内側縁部から右側に向かって延びる、内側に向かって面する水平円筒状表面３６、左側に向かってかつ内側に向かって面する切頭円錐形表面３８、内側に向かって面する水平円筒状表面３９、左側に向かって面する環状垂直表面４０、内側に向かって面する水平円筒状表面４１、右側に向かって面する環状垂直表面４２、及び右端部面３１の内側縁部に連結するようにそこから右側に向かって続く内側に向かって面する水平円筒状表面４３によって順次結び付けられる軸方向貫通孔を有して示されている。やや半円筒状の横断面を有する凹面の凹部４４が、後で説明するように、フォロワーに設けられる相補的に構成されるラグの摺動挿入を受け入れ、受けるように、その左端部面の６時００分の位置から本体内に右側に向かって延びる。本体を他の構造体（図示せず）に適切に結合できるように、ねじ切りした部分３５が管状本体２１に設けられる。ねじ切りした部分３２が、後で説明するキャップの相補的に構成される内側にねじ切りした部分を対合的に受けるように本体に設けられる。
【手続補正３】
【補正対象書類名】明細書
【補正対象項目名】００２４
【補正方法】変更
【補正の内容】
【００２４】
次に図１０及び１１を参照すると、シーリング材２３が、５０、５１及び５２のところにそれぞれ示す３つの個々の部片の積み重ねられた組立て品であるとして示されている。部片５０及び５１は水平に細長い円筒状の部材である。したがって、左セグメント５０は、水平な円形左端部面５３を有するとして示されている。セグメント５０は、中央セグメント５１の円形左端部面と当接するように用意された円形の右端部面も有する。同様に、中央セグメント５１は、右側セグメント５２の円形左端部面と当接するように用意された円形の右端部面を有する。セグメント５２は、その円形右端部面５６に連結するようにその外側円筒状表面５５から延びる、右側を向いて、かつ外側を向いて面する切頭円錐形表面５４を有する点でセグメント５０、５１と異なる。セグメント５０及び５１は、それぞれ外側円筒状表面５７及び５８を有するとして示されている。これら３つのセグメント５０、５１、及び５２は、それらの外側円筒状表面５５、５７及び５８が水平に細長い連続する円筒状表面を形成するように積み重ねられる。各セグメントは、５９に別々に示される貫通穴を有する。これらの貫通穴は、線Ｗ、Ｗの貫通部分の通過を受け入れる共通の目的のために、第１の挿入体２２の貫通穴４９と位置合わせするようになされている。
【手続補正４】
【補正対象書類名】明細書
【補正対象項目名】００２８
【補正方法】変更
【補正の内容】
【００２８】
次に図４を参照するとキャップ２６は、環状垂直左端部面６９、環状垂直右端部面７０、及び関連部分に、左端部面６９の外側縁部から右側に向かって延びる外側にねじ切りした部分７１、及び右端部面７０の外側縁部に連結するようにそこから右側に向かって続く半径方向に拡大される６角形の部分７２を順次含む段付き外側表面とを有する、水平に細長い特別に構成される管状部材であるとして示されている。キャップ２６は、左端部面６９の内側縁部から右側に向かって延びる内側に向かって面する水平円筒状表面７３、右側に向かって面する環状垂直表面７４、内側に向かって面する水平円筒状表面７５、内側に向かってかつ左側に向かって面する切頭円錐形表面７６、及び右端部面７０の内側縁部に連結するようにそこから右側に向かって続く内側にねじ切りした部分７８によって順次結び付けられる段付き貫通穴とを有する。キャップのねじ切りした部分７８は、後で説明するように本体のねじ切りした部分３２に対合的に係合するようになされている。
【手続補正５】
【補正対象書類名】明細書
【補正対象項目名】００２９
【補正方法】変更
【補正の内容】
【００２９】
次に図１を参照すると、第１のスリーブ２８が、環状垂直左端部面７９、右側に向かってかつ内側に向かって面する切頭円錐形右端部面８０、外側円筒状表面８１、及び右端部面８０の内側縁部に連結するように左端部面７９の内側縁部から右側に向かって延びる内側円筒状表面８２とを有する水平に細長い管状部材であるとして示されている。
【手続補正６】
【補正対象書類名】明細書
【補正対象項目名】００３０
【補正方法】変更
【補正の内容】
【００３０】
依然として図１を参照すると、第２のスリーブ２９は、第１のスリーブ２８の鏡像であるとして示されている。この点について、第２のスリーブは、左側に向かってかつ内側に向かって面する切頭円錐形表面８３、右側に向かって面する環状垂直表面８４、外側に向かって面する水平円筒状表面８５、及び右端部面８４の内側縁部に連結するように左端部面８３の内側縁部から右側に向かって延びる内側円筒状表面８６とを有するとして示されている。